(57)【要約】      （修正有）【課題】  ペンスキャナによってのバーコードの読み取り操作を容易かつ確実におこなえるバーコードラベルを提供する。【解決手段】  バーコードラベル１Ａの台紙２にラベル１の印字面に印字されるカスタマーコード１ａの走査方向に沿ってハーフカットされた複数のスリット２ａ〜２ｄを形成し、台紙２から剥離させたラベル１を貼着対象物２４に貼着する際、いずれかのスリット２ａ〜２ｄに沿って台紙２の一部が残されるようにし、貼着対象物２４への貼着後には台紙２の一部の厚みによってカスタマーコード１ａの走査方向に段差１ｃあるいは窪みが形成されるようにし、ペンスキャナ２５の先端がその段差１ｃあるいは窪みに沿ってガイドされるようにする。【選択図】  図４
2006065526.tif 000002
【特許請求の範囲】
【請求項１】
印字面とは反対側に剥離可能な接着面を有するラベルと前記ラベルの接着面を仮着する台紙とからなるバーコードラベルであって、
前記台紙から剥離させた前記ラベルを貼着対象物に貼着する際、前記印字面に印字されるバーコードの走査方向に沿うように前記台紙の一部が残されることを特徴とするバーコードラベル。
【請求項２】
前記台紙には前記印字面に印字される前記バーコードの走査方向に沿ってハーフカットされた複数のスリット又はミシン目が形成され、
いずれかの前記スリット又はミシン目に沿って前記台紙の一部が残され、前記貼着対象物への貼着後には前記台紙の一部の厚みによって前記バーコードの走査方向に段差あるいは窪みが形成されることを特徴とする請求項１に記載のバーコードラベル。
【請求項３】
前記ラベル又は前記台紙には、前記台紙の一部を残す位置を示す台紙剥がし用目印が設けられていることを特徴とする請求項１又は２に記載のバーコードラベル。
【発明の詳細な説明】
【技術分野】
【０００１】
本発明は、ペンスキャナによるバーコードの読み取りを容易に行わせるバーコードラベルに関する。
【背景技術】
【０００２】
バーコードは、太さの異なる複数のバー（黒い線）と複数のスペース（白又は印字していない部分）とで構成される縞模様のパターンに、数字やその他の文字・記号を置き換えたものであり、スキャナで読み取ることにより光学的に解読させる入力方式である。
【０００３】
バーコードには、様々な種類があるが、たとえば近年では図７に示すハガキ３０に印字される郵便のカスタマーコード３１のように、幅が狭い上にバー（黒い線）の配列が長い構成となっているものもある。
【０００４】
このようなカスタマーコード３１は、自動読取装置を用いて読み取るのが普通であるが、たとえばペンスキャナを用いても読み取りが可能であると考えられる。この場合、ペンスキャナの先端をカスタマーコード３１のバー（黒い線）に直交させて端から端まで走査することになるが、その走査中にペンスキャナの先端がカスタマーコード３１から外れてしまうことがある。その場合、何度もその走査を繰り返す必要があるため、読み取り操作が煩わしいという難点がある。
【０００５】
この場合、たとえばハガキ３０のカスタマーコード３１が印字されている部分にペンスキャナの先端をガイドするような手段を施すか、あるいはカスタマーコード３１をたとえば台紙に仮着されているラベルに印字し、そのラベルあるいは台紙にペンスキャナの先端をガイドするような手段を施すようにすることで、ペンスキャナによってのカスタマーコード３１の読み取り操作を容易に行えるものと考えられる。
【０００６】
ところが、たとえばハガキ３０のカスタマーコード３１が印字されるべき部分にペンスキャナの先端をガイドするような手段を施すとすると、ハガキ３０へのカスタマーコード３１の印字ができないため、現実的ではない。
【０００７】
ちなみに、ラベルを仮着している台紙を工夫するようにしたものとして、特許文献１では、剥離紙の少なくとも一辺側をラベルより側方に延設してなる延長部を有し、該延長部にスリットにてめくり上げ片が切り込み形成され、めくり上げ片のスリットがラベル下の剥離紙に延設されてめくり上げ片の引き起こしによりラベルが引き起こし可能に設けられ、かつ、剥離紙における延長部とは反対側の一辺側に沿ってスリットが剥離紙に切り込まれているようにしたラベルシートを提案している。
【特許文献１】特開２０００−１５９６５号公報
【発明の開示】
【発明が解決しようとする課題】
【０００８】
しかしながら、特許文献１に示されるラベルシートは、隠蔽すべき箇所に対応させた状態を維持しながらラベルの貼り付けが行えるようにしたものであり、上述したように、たとえばカスタマーコード３１をペンスキャナによって読み取る際の操作を容易に行えるものには適した構成となり得ないという問題がある。
【０００９】
本発明は以上のような従来の問題点に鑑みてなされたもので、ペンスキャナによってのバーコードの読み取り操作を容易に行うことができるバーコードラベルを提供することを目的とする。
【課題を解決するための手段】
【００１０】
本発明のバーコードラベルは、印字面とは反対側に剥離可能な接着面を有するラベルと前記ラベルの接着面を仮着する台紙とからなるバーコードラベルであって、前記台紙から剥離させた前記ラベルを貼着対象物に貼着する際、前記印字面に印字されるバーコードの走査方向に沿うように前記台紙の一部が残されることを特徴とする。
また、前記台紙には前記印字面に印字される前記バーコードの走査方向に沿ってハーフカットされた複数のスリット又はミシン目が形成され、いずれかの前記スリット又はミシン目に沿って前記台紙の一部が残され、前記貼着対象物への貼着後には前記台紙の一部の厚みによって前記バーコードの走査方向に段差あるいは窪みが形成されるようにすることができる。
また、前記ラベル又は前記台紙には、前記台紙の一部を残す位置を示す台紙剥がし用目印が設けられているようにすることができる。
本発明のバーコードラベルでは、台紙から剥離させたラベルを貼着対象物に貼着する際、印字面に印字されるバーコードの走査方向に沿うように台紙の一部が残されるようにしたので、ペンスキャナによってバーコードの読み取りを行うとき、ペンスキャナの先端を残された台紙の一部に沿ってガイドすることができる。
【発明の効果】
【００１１】
本発明のバーコードラベルによれば、台紙から剥離させたラベルを貼着対象物に貼着する際、印字面に印字されるバーコードの走査方向に沿うように台紙の一部が残されるようにし、ペンスキャナによってバーコードの読み取りを行うとき、ペンスキャナの先端を残された台紙の一部に沿ってガイドすることができるようにしたので、ペンスキャナによってのバーコードの読み取り操作を容易かつ確実に行うことができる。
【発明を実施するための最良の形態】
【００１２】
本実施形態では、台紙にラベルの印字面に印字されるバーコードの走査方向に沿ってハーフカットされた複数のスリット又はミシン目を形成し、台紙から剥離させたラベルを貼着対象物に貼着する際、いずれかのスリット又はミシン目に沿って台紙の一部が残されるようにし、貼着対象物への貼着後には台紙の一部の厚みによってバーコードの走査方向に段差あるいは窪みが形成されるようにし、ペンスキャナの先端がその段差あるいは窪みに沿ってガイドされるようにすることで、ペンスキャナによってのバーコードの読み取り操作を容易かつ確実に行うようにした。
【００１３】
以下、本発明の実施の形態について説明する。
図１は、本発明のバーコードラベルにバーコードを印字するプリンタの一例を示す図、図２は、図１のプリンタの制御部の詳細を示すブロック図、図３は、図１のプリンタによって印字されるバーコードラベルの一例を示す図、図４は、図３のバーコードラベルの使用方法を説明するための図、図５は、図３のバーコードラベルの他の使用方法を説明するための図、図６は、図３のバーコードラベルの貼り付け対象を円柱状とした場合を説明するための図である。
【００１４】
図１に示すプリンタは、たとえばラベルプリンタであり、印字面とは反対側に剥離可能な接着面を有した複数のラベル１を剥離可能に仮着している台紙２がロール状に巻回されたラベル連続体３を回転自在に支持する供給軸４と、ラベル１に印字を行う印字ヘッド５と、ラベル１を印字ヘッド５に押圧するプラテンローラ６と、ベルト８を介してプラテンローラ６に回転駆動力を与えるステッピングモータ７と、台紙２及びラベル１を挟むように発光部と受光部とを配し、ラベル１のギャップ（ラベル１間の台紙のみの部分）を検出する透過型の位置検出センサ９と、各部の動作を制御する制御部１０と、印字済みのラベル１を、ラベル１毎に切断して後述のバーコードラベル１Ａを得るカッタ２２を有する切断部２１とを備えている。
【００１５】
制御部１０は、図２に示すように、ＣＰＵ１１、ＲＯＭ１２、ＲＡＭ１３、モータ制御部１４、印字制御部１５、センサ制御部１６、外部インタフェース１７、インタフェース２０、カッタ制御部２３を備えている。
【００１６】
ＣＰＵ１１は、ＲＯＭ１２に記憶されている制御プログラムに従って動作し、各部を制御する。ＲＯＭ１２には、ＣＰＵ１１の動作に必要な制御プログラム等が格納されている。ＲＡＭ１３には、印字すべき文字、図形、バーコード等の印字データが展開される。
【００１７】
モータ制御部１４は、ステッピングモータ７にパルス信号を供給し、ステッピングモータ７を駆動させる。印字制御部１５は、印字データに対応する制御信号を生成して印字ヘッド５に供給し、印字動作を行わせる。ここで、印字制御部１５は、ラベル１の両端に設けられている後述の台紙剥がし用目印１ｂの位置に対応させて、後述のカスタマーコード１ａをラベル１に印字させるように印字ヘッド５を制御する。センサ制御部１６は、位置検出センサ９の検出動作を制御するとともに、位置検出センサ９からの検出結果を受け取り、ＣＰＵ１１に供給する。
【００１８】
外部インタフェース１７は、外部に接続されるホストコンピュータ等の機器との間でデータの送受信を行う。インタフェース２０は、入力部１８からの入力データを受け付けたり、モニタ１９へ表示のための信号を送出したりする。カッタ制御部２３は、カッタ２２を動作させて搬送されるラベル連続体３をラベル１毎に切断させる。
【００１９】
図３は、図１の切断部２１のカッタ２２により切断されたバーコードラベル１Ａを示すものである。
【００２０】
同図に示すように、バーコードラベル１Ａのラベル１には、たとえば郵便のカスタマーコード１ａが印字されている。また、ラベル１の両端には、カスタマーコード１ａを挟むように台紙剥がし用目印１ｂが設けられている。これらの台紙剥がし用目印１ｂは、印字又は印刷のいずれかで表記されるようにしてもよい。なお、これらの台紙剥がし用目印１ｂは、台紙２側に予め印刷しておくようにしてもよい。
【００２１】
一方、バーコードラベル１Ａの台紙２側には、台紙剥がし用目印１ｂに対応させるとともに、カスタマーコード１ａの読み取り方向である走査方向に沿ってハーフカットされた複数のスリット２ａ〜２ｄが形成されている。ここで、カスタマーコード１ａの走査方向とは、カスタマーコード１ａを構成するバー（黒い線）に対して直交する方向である。また、複数のスリット２ａ〜２ｄは、上述したラベル連続体３の幅方向に沿って各ラベル１毎に形成されている。なお、スリット２ａ〜２ｄの数にあっては、図示のように４本に限るものではなく、２本以上であればよい。また、ここでは、台紙２にスリット２ａ〜２ｄを形成した場合について説明しているが、スリット２ａ〜２ｄに限らず、ミシン目であってもよい。
【００２２】
このようなバーコードラベル１Ａは、次のようにして使用される。
まず、図３に示した台紙２からラベル１を剥がす際、図４（ａ）の平面図及びａ−ａ線に沿った図４（ｂ）の断面図に示すように、たとえばスリット２ｂ及び２ｃ間の台紙２の一部を残すようにする。この場合、ラベル１の両端に、カスタマーコード１ａを挟むように台紙剥がし用目印１ｂが設けられているため、台紙２のスリット２ｂ及び２ｃの位置確認を容易に行える。そして、その台紙２の一部は、上述したカスタマーコード１ａの走査方向に沿ってラベル１の接着面側に残されることになる。
【００２３】
次いで、図４（ｃ）に示すように、バーコードラベル１Ａをハガキや封書等の貼着対象物２４に貼着する。このとき、台紙２の一部による厚みによってカスタマーコード１ａの読み取り方向に段差１ｃが２つ形成されることになる。
【００２４】
そして、いずれか一方の段差１ｃにペンスキャナ２５の先端をあてがい、そのまま段差１ｃに沿ってペンスキャナ２５の先端をカスタマーコード１ａの端から端まで滑らすことにより、カスタマーコード１ａの走査を行うことができる。この場合、カスタマーコード１ａのように、幅が狭い上にバー（黒い線）の配列が長いコードであっても、ペンスキャナ２５の先端を段差１ｃによってガイドしつつ走査できるので、ペンスキャナ２５によっての読み取り操作が容易となるばかりか、ペンスキャナ２５の先端がカスタマーコード１ａから外れてしまうことがなく、読み取りミスも少なくなる。
【００２５】
また、バーコードラベル１Ａは、次のようにして使用することもできる。すなわち、図５（ａ）の平面図及びｂ−ｂ線に沿った図５（ｂ）の断面図に示すように、台紙２からラベル１を剥がす際、たとえばスリット２ａ及び２ｂ間とスリット２ｃ及び２ｄ間との台紙２の一部を残すようにする。この場合、上述したように、ラベル１の両端に、カスタマーコード１ａを挟むように台紙剥がし用目印１ｂが設けられているため、台紙２の各スリット２ａ〜２ｄの位置確認を容易に行える。そして、その台紙２の一部は、上記同様に、カスタマーコード１ａの読み取り方向に沿ってラベル１の接着面側に残されることになる。
【００２６】
次いで、図５（ｃ）に示すように、バーコードラベル１Ａをハガキや封書等の貼着対象物２４に貼着する。このとき、台紙２の一部による厚みによってカスタマーコード１ａの読み取り方向に窪み１ｄが形成されることになる。
【００２７】
そして、その窪み１ｄにペンスキャナ２５の先端をあてがい、そのまま窪み１ｄに沿ってペンスキャナ２５の先端をカスタマーコード１ａの端から端まで滑らすことにより、カスタマーコード１ａの走査を行うことができる。この場合も、上記同様に、幅が狭い上にバー（黒い線）の配列が長いカスタマーコード１ａであっても、ペンスキャナ２５の先端を窪み１ｄに沿って滑らすように走査できるので、ペンスキャナ２５によっての読み取り操作が容易となるばかりか、読み取りミスも少なくなる。
【００２８】
このように、本実施形態では、バーコードラベル１Ａの台紙２にラベル１の印字面に印字されるカスタマーコード１ａの走査方向に沿ってハーフカットされた複数のスリット２ａ〜２ｄを形成し、台紙２から剥離させたラベル１を貼着対象物２４に貼着する際、いずれかのスリット２ａ〜２ｄに沿って台紙２の一部が残されるようにし、貼着対象物２４への貼着後には台紙２の一部の厚みによってカスタマーコード１ａの走査方向に段差１ｃあるいは窪み１ｄが形成されるようにし、ペンスキャナ２５の先端がその段差１ｃあるいは窪み１ｄに沿ってガイドされるようにしたので、幅が狭い上にバー（黒い線）の配列が長いカスタマーコード１ａであっても、ペンスキャナ２５によってのバーコードの読み取り操作を容易かつ確実に行うことができる。
【００２９】
また、本実施形態では、ラベル１の両端に、カスタマーコード１ａを挟むように台紙剥がし用目印１ｂを設けているため、台紙２の一部を残す際に、台紙２のスリット２ａ〜２ｄの位置確認を容易に行うことができる。
【００３０】
なお、本実施形態では、バーコードラベル１Ａをハガキや封書等の貼着対象物２４に貼着する場合について説明したが、この例に限らず、たとえば図６に示すような円柱状のビン、缶、筒等の貼着対象物２６に貼着してもよい。この場合には、貼着対象物２６が湾曲しているため、通常ではペンスキャナ２５によるコード走査が困難であるが、上記同様に、台紙２の一部によって形成される段差１ｃあるいは窪み１ｄによってペンスキャナ２５の先端がガイドされるため、コード走査を容易かつ確実に行うことができる。
【産業上の利用可能性】
【００３１】
ＪＡＮコード、ＣＯＤＥ３９、ＩＴＦ、ＮＷ−７、ＣＯＤＥ１２８、ＵＰＣ、ＣＯＤＥ９３等の他のバーコードの読み取りにも適用可能である。
【図面の簡単な説明】
【００３２】
【図１】本発明のバーコードラベルにバーコードを印字するプリンタの一例を示す図である。
【図２】図１のプリンタの制御部の詳細を示すブロック図である。
【図３】図１のプリンタによって印字されるバーコードラベルの一例を示す図である。
【図４】図３のバーコードラベルの使用方法を説明するための図である。
【図５】図３のバーコードラベルの他の使用方法を説明するための図である。
【図６】図３のバーコードラベルの貼り付け対象を円柱状とした場合を説明するための図である。
【図７】従来のカスタマーコードを示す図である。
【符号の説明】
【００３３】
１  ラベル
１Ａ  バーコードラベル
１ａ  カスタマーコード
１ｂ  台紙剥がし用目印
１ｃ  段差
１ｄ  窪み
２  台紙
２ａ〜２ｄ  スリット
３  ラベル連続体
２４，２６  貼着対象物
２５  ペンスキャナ
【図１】
2006065526.tif 000003
【図２】
2006065526.tif 000004
【図３】
2006065526.tif 000005
【図４】
2006065526.tif 000006
【図５】
2006065526.tif 000007
【図６】
2006065526.tif 000008
【図７】
2006065526.tif 000009